(57)【要約】【課題】コンテンツ毎にいちいち設定をする必要はなく、装置のコストをそれほど高くせずに利便性の高いバックアップを実現する。【解決手段】バックアップ制御装置１は、ネットワークを介してコンテンツとそのメタデータを取得する。メタデータには、コンテンツのタイトル、種類、データサイズ、保存場所、更新日時などが記述されており、種類には、例えばMIME-TYPEのような、著作権保護対象か否か、動画、静止画、音楽データかなどを示す値が含まれている。ユーザは、装置１に対し、バックアップに関する設定をする。具体的には、バックアップ対象のコンテンツの種類やバックアップの保存先、実行タイミングなどを設定する。そして、装置１は、設定された実行タイミングになると、バックアップの保存先にあたるストレージサーバに接続し、バックアップ対象のコンテンツをMIME-TYPEで識別してストレージサーバに保存する。【選択図】 図１
2009163587.tif 000002
【特許請求の範囲】
【請求項１】
バックアップ制御装置であって、
メタデータを用いてバックアップするか否かを判断するバックアップ管理部を有するバックアップ制御装置。
【請求項２】
請求項１のバックアップ制御装置であって、
前記バックアップ管理部は、前記バックアップ制御装置以外の記録再生装置のコンテンツがバックアップ対象か否かを判断するバックアップ制御装置。
【請求項３】
請求項２のバックアップ制御装置であって、
前記記録再生装置とＤＬＮＡによって接続するバックアップ制御装置。
【請求項４】
請求項１から３のいずれかにバックアップ制御装置であって、
前記バックアップ管理部は、前記メタデータに含まれるMIME-TYPEによって判断するバックアップ制御装置。
【請求項５】
請求項４のバックアップ制御装置であって、
前記バックアップ管理部は、前記MIME-TYPEが著作権上複製を禁止されていないコンテンツを示しているときバックアップすると判断するバックアップ制御装置。
【請求項６】
請求項１のバックアップ制御装置であって、
前記バックアップ管理部は、前記メタデータが動画、静止画、音楽のいずれを示すかによって、バックアップするか否かを判断するバックアップ制御装置。
【請求項７】
請求項１のバックアップ制御装置であって、
コンテンツのバックアップ済みの情報を記憶する記憶部を有し、
前記バックアップ管理部は、前記記憶部でコンテンツがバックアップ済みとされていないときにバックアップすると判断するバックアップ制御装置。
【請求項８】
請求項１のバックアップ制御装置であって、
前記バックアップ管理部は、コンテンツがバックアップ済みでなく且つ前記メタデータが著作権上複製を許可されているコンテンツであることを示しているときにバックアップすると判断するバックアップ制御装置。
【請求項９】
請求項１のバックアップ制御装置であって、
コンテンツのバックアップ済みの情報を記憶する記憶部を有し、
前記記憶部は、当該バックアップ制御装置及び他のバックアップ制御装置によるコンテンツのバックアップ済みの情報を記憶しているバックアップ制御装置。
【請求項１０】
請求項１のバックアップ制御装置であって、
前記バックアップ管理部は、バックアップ対象の機器、バックアップ制御機器、コンテンツの種類、実行タイミング、及び、バックアップの保存先の少なくとも一つに従ってバックアップするか否かを判断するバックアップ制御装置。
【請求項１１】
請求項１のバックアップ制御装置であって、
前記バックアップ管理部は、ＩＰネットワークを介してコンテンツとメタデータとを取得するバックアップ制御装置。
【請求項１２】
請求項１のバックアップ制御装置であって、
前記バックアップ管理部は、バックアップ先を当該バックアップ制御装置とは別のストレージサーバとするバックアップ制御装置。
【請求項１３】
請求項１のバックアップ制御装置であって、
前記バックアップ管理部は、コンテンツのバックアップを行うときに、既に同じファイル名のコンテンツがバックアップとして保存されている場合、データサイズ及び／又は更新日時を比較することにより、異なるコンテンツであることを識別するバックアップ制御装置。
【請求項１４】
バックアップ制御装置であって、
メタデータに含まれるMIME-TYPEによってバックアップするか否かを判断するバックアップ管理部を有するバックアップ制御装置。
【請求項１５】
コンテンツを記憶するストレージサーバが実行するコンテンツバックアップ方法であって、
ネットワークを介して接続するクライアントからコンテンツのメタデータを取得するステップと、
取得したメタデータに含まれるMIME-TYPEによって、コンテンツがバックアップ済みであるか否かを判断するステップとを有するコンテンツバックアップ方法。
【請求項１６】
記録したコンテンツを再生するコンテンツ記録再生装置が実行するコンテンツ再生方法であって、
記録したコンテンツの再生可否を判断するステップと、
コンテンツが再生可のときには再生するステップと、
コンテンツが再生否とときにはバックアップ先からコンテンツを再生するステップとを有するコンテンツ再生方法。
【発明の詳細な説明】
【技術分野】
【０００１】
技術分野は、コンテンツをバックアップする技術に関する。
【背景技術】
【０００２】
上記技術分野に関して特許文献１には、「大容量ディスク装置において、障害による重要データの消失を防ぐため、重要度の高いデータを自動的にバックアップ可能にすること」を課題とし、その解決手段として「ネットワークに接続可能なインタフェース、ディジタルカメラ、ディジタルビデオカメラからデータを取得するインタフェース、ＴＶの電波を受信可能なチューナ、入力されたデータを一元管理可能なディスク装置、ディスク装置に蓄積されたデータを記録可能な記憶装置、ＣＰＵ、メモリ、映像を出力可能なビデオインタフェース、映像を出力するモニタ、モニタを通してデータを入力するデバイスを備える情報処理装置で、外部インタフェースよりディスク装置に入力されたデータを、バックアップ開始希望時間により設定されたデータの重要度にしたがって、自動的にバックアップ可能にする。」技術が開示されている。
【０００３】
また特許文献２には、「ユーザにとって重要なコンテンツをバックアップするようにする」ことを課題とし、その解決手段として「記録媒体３９には、コンテンツの嗜好値および記録媒体３９の状態情報が記録されている。コンテンツ選別部６２は、記録媒体３９に記録されている嗜好値を用いて、所定のコンテンツを選別する。状態チェック部６３は、記録媒体３９に記録されている状態情報から、さらに詳細チェックが必要と判断した場合、セクタチェック部６４に記録媒体３９の全面チェックを行わせる。セクタチェック部６４は、エラーセクタの情報を保持し、そこに記録されているコンテンツのバックアップが必要であるか否かを判断する。バックアップ処理部６５は、コンテンツ選別部６２により選別されたコンテンツ、または、セクタチェック部６４によりバックアップが必要であると判断されたコンテンツのバックアップ処理を行う。」技術が開示されている。
【０００４】
【特許文献１】特開２００４−２９５７２３号公報
【特許文献２】特開２００６−１１３９６２号公報
【発明の開示】
【発明が解決しようとする課題】
【０００５】
しかし、特許文献１では、データに対していちいち重要度を設定しなければならず、ユーザの手間になる。特許文献２では、コンテンツの嗜好値を装置で算出して装置に記録させなければならず、装置のコストが高い。
【課題を解決するための手段】
【０００６】
そこで本出願では例えば、コンテンツにもともと含まれている属性（メタデータ）を用いて、著作権上複製してもよいコンテンツであるかやユーザが指定した種類に該当するコンテンツであるかを識別して、識別すると判断するとバックアップする技術を提供する。
【発明の効果】
【０００７】
上記手段によれば例えば、コンテンツ毎にいちいち設定をする必要はなく、またコンテンツにもともと含まれている属性を用いるので装置のコストは比較的高くない。
【発明を実施するための最良の形態】
【０００８】
以下、本発明に好適な実施形態の例（実施例）を説明する。ただし、本発明は本実施例に限定されない。
【０００９】
まず、本実施例の概要を説明する。
【００１０】
バックアップ制御装置は、ネットワークを介してコンテンツの共有が可能なレコーダからコンテンツのメタデータを取得する。メタデータには、コンテンツのタイトル、フォーマット情報、データサイズ、保存場所、更新日時などが記述されており、フォーマット情報には、例えばMIME-TYPEのような、著作権保護対象か否か、動画、静止画、音楽データかなどを示す値が含まれている。ユーザは、バックアップ制御装置に対し、レコーダのバックアップ制御を設定する。具体的には、バックアップ対象のコンテンツの種類やバックアップの保存先、実行タイミングなどを設定する。そして、バックアップ制御装置は、設定された実行タイミングになると、バックアップの保存先にあたるストレージサーバに接続し、バックアップ対象のコンテンツをMIME-TYPEの値で識別してストレージサーバに保存する（バックアップする）。以上により、ネットワークを介したコンテンツの共有が可能な装置に保存されているコンテンツのうち、ユーザが設定した種類でかつ著作権上複製してもよいものを、自動的にバックアップすることができる。このバックアップ制御装置によれば、バックアップ機能を備えていない装置のコンテンツも、著作権で複製が禁じられていないものであれば、自動的にバックアップを取ることができる。また、ユーザは、バックアップを行いたいコンテンツの種類を指定するだけでも、バックアップ制御装置が各コンテンツのメタデータからバックアップ対象かどうかを自動的に識別するため、バックアップ対象のコンテンツ指定も簡単にできる。バックアップの保存先も宅外のデータセンタをはじめ、NASや外付けHDDなど様々な装置に対して設定することができる。
【００１１】
以下、図面に基づいて詳細を説明する。
【００１２】
図１は、システムの構成例を示す。宅内のネットワークに接続された記録再生装置２に保存されているコンテンツをバックアップ制御装置１（装置１）へ装置１がバックアップしている。また、装置１に保存されているコンテンツ又は装置２に保存されているコンテンツを宅外のデータセンタ内の記憶装置３（装置３）へ装置１がバックアップしている。
【００１３】
装置１は、例えばHDDレコーダやPCのような動画、静止画、音楽などのコンテンツを蓄積する機能を有している。蓄積する記録媒体は、例えば、HDD、半導体メモリ、光ディスクなどが考えられる。装置１は、ネットワークを介して他の装置が保存しているコンテンツリストを取得する。ユーザは、装置１に表示されたコンテンツリストの中からに所望のコンテンツを選択して視聴したり、装置１にダウンロードしたりすることができる。ただし、著作権上ネットワークを介して再生できない、または、ダウンロードできないコンテンツに関しては、コンテンツリストの取得のみ行う。
【００１４】
コンテンツリストには、コンテンツの属性が記述される。属性の例としては、タイトル、フォーマット情報、データサイズ、保存場所、更新日時などの情報がある。フォーマット情報には、動画、静止画、音楽などデータのタイプを示す情報に加え、DTCP(Digital Transmission Content Protection)などの著作権保護がかかったコンテンツか否かの情報が、MIME-TYPE(Multipurpose Internet Mail Extension-Type)の形式で記述されている。保存場所の属性には、例えばURI(Uniform Resource Identifier)のようなネットワーク上の、または、装置内のコンテンツ保存場所を表す情報が含まれている。
【００１５】
ネットワークを形成する伝送路は、宅内、宅外を問わず、例えば光ファイバーやADSLによるもの、または、宅内のLANケーブルを用いた宅内LAN、専用ケーブルによる専用の通信回線のことを表す。
【００１６】
装置１は、装置１に保存されているコンテンツ又は他の装置に保存されているコンテンツのバックアップを取ることができる。例えば、宅内のネットワークに接続された装置２に保存されているコンテンツを、宅外のデータセンタに設置している装置３にバックアップデータを保存することができる。これにより、装置２に装置１と同様のバックアップ機能がなくても、バックアップすることができる。そして、仮に装置２が故障してコンテンツが消去されてしまった場合でも、装置３から該コンテンツのバックアップデータを取得することができる。
【００１７】
装置１がコンテンツのバックアップ先に設定する装置は、宅外の装置３だけに限らず、装置１自身でもよいし、例えば宅内であれば、例えばNAS(Network Attached Storage)やUSBで接続している外付けHDDなどがある。また、コンテンツ保存元の装置２以外の装置でもよい。一方、宅外であれば、親戚・家族の家に設置された装置でもよい。さらに、車載装置、携帯端末などの移動端末装置でもよい。
【００１８】
コンテンツを記録している装置（装置１と２）をコンテンツサーバとも呼び、バックアップ先の装置（装置１と３）をストレージサーバとも呼ぶ。図１の場合には、装置１はバックアップ制御装置でもあり、コンテンツサーバでもあり、ストレージサーバでもある。ただし、バックアップ制御装置が全てを兼ね備える必要はない。
【００１９】
図２は、装置１の構成例を示す。装置１は、画面表示部１０、ユーザ操作部１１、コンテンツ管理部１２、コンテンツデータベース１３、バックアップ管理部１４、バックアップ設定データベース１５、ネットワーク管理部１６で構成されている。ユーザ操作部１１、コンテンツ管理部１２、バックアップ管理部１４、ネットワーク管理部１６は、ハードウェアで実現してもよいし、ソフトウェアをＣＰＵ等で実行して実現してもよい。
【００２０】
画面表示部１０は、コンテンツリストの表示や再生しているコンテンツ、また、バックアップの設定画面などを表示する。ただし、画面表示部１０は別の筐体であってもよい。
【００２１】
ユーザ操作部１１は、リモコンなどユーザによる装置操作用インタフェースによって制御情報を受信する。
【００２２】
コンテンツ管理部１２は、装置１に保存しているコンテンツリストとネットワークを介して取得した他の装置のコンテンツリストを管理する。
【００２３】
コンテンツデータベース１３には、装置１のコンテンツに加え、他の装置が保存しているコンテンツのバックアップデータ、さらに、各コンテンツのメタデータを保存する。ただし、バックアップは予めバックアップの保存先を装置１に設定している装置のコンテンツに限る。コンテンツデータベース１３に保存されるメタデータは、コンテンツID、タイトル、データサイズ、更新日、ファイル名、バックアップ保存完／未完といった属性を基本属性とする。この他にも例えば、音楽コンテンツであれば、作曲者、ジャンル、歌手、作曲者といったコンテンツの種類に応じて、存在するメタデータの属性を保存する。コンテンツIDは、コンテンツをユニークに表すものである。
【００２４】
バックアップ管理部１４は、装置１で保存しているコンテンツと、ネットワーク上の各装置のバックアップ設定情報を管理する。
【００２５】
バックアップ設定データベース１５には、コンテンツデータベースを有する装置（コンテンツサーバ、図１では装置１又は２）の情報、バックアップ制御装置（図１では装置１）の情報、バックアップ対象とするコンテンツの種類、バックアップ保存先の装置（ストレージサーバ、図１では装置１又は装置３）の情報、バックアップタイミングの設定状況といった、バックアップに関する設定情報が保存される。これらの情報は、後述のバックアップ設定画面でユーザが設定する。
【００２６】
ネットワーク管理部１６は、装置間でコンテンツデータや番組情報、または、制御情報などを送受信する。ネットワーク管理部１６は、例えばＤＬＮＡの規格に従って、ネットワークを管理する。
【００２７】
図３は、装置１でユーザがバックアップの設定を行うための画面の例である。設定画面には、ネットワークを介してコンテンツの共有が可能なサーバ一覧とそのバックアップの設定情報を表示する。バックアップの設定情報としては、バックアップを制御する装置の情報、バックアップ対象とするコンテンツの種類、バックアップ保存先の装置情報、バックアップタイミングの設定状況などを表示する。
【００２８】
前述のコンテンツサーバ一覧に表示される装置は、例えばDLNAのサーバ機能を備える装置（図１では装置１と装置２）のことであり、クライアントから受けた要求に従い、コンテンツリストやコンテンツを送信する機能を備える。
【００２９】
各コンテンツサーバのバックアップ設定情報には、まずはバックアップ制御装置の情報として、該コンテンツサーバにバックアップ制御機能の有無、または、該コンテンツサーバのバックアップを制御する装置の有無を表示する。バックアップを制御している装置が存在する場合、その装置の情報も表示する。
【００３０】
バックアップの対象とするコンテンツは、コンテンツの種類を組み合わせた選択肢の中から、ユーザが選択して設定する。選択肢としては、例えば、動画のみ、静止画のみ、動画と静止画、著作権上複製してもよいコンテンツ全て、という４種類が考えられる。
【００３１】
コンテンツの種類の識別には、コンテンツリストの属性に含まれるMIME-TYPEを用いる。MIME-TYPEには、データの種類情報と著作権情報が、主に含まれている。サーバがクライアントにデータを転送するとき、このデータをクライアントでどのように表示及び／又は再生させるかを制御するために用いられる。DLNAにおいてコンテンツのデータをサーバから送るときに、送られる情報であるため、記録再生装置（装置２）等で特別に作成する必要はない。DLNAではMIME-TYPEに、例えば以下の情報が含まれる。
application/x-dtcp1：   // DTCPで著作権保護されていることをここで示す
DTCP1HOST=169.254.76.106：  // サーバ側のIPアドレス
DTCP1PORT=30000：  // サーバ側のポート番号
CONTENTFORMAT="video/vnd.dlna.mpeg-tts"：  // ファイルの種類の情報
DLNA.ORG_OP=10：  // 再生方法の情報(再生を開始するシーンを時間で指定可能か否かなど) 
図４は、バックアップ対象に設定するコンテンツの種類の組み合わせと、その組み合わせに該当するコンテンツのMIME-TYPEに関する情報の例を示した対応図である。
【００３２】
例えば、動画のみというバックアップ対象のコンテンツが設定されている場合は、MIME-TYPE の値が、MPEGファイルを表す”video/mpeg”、WMVファイルを表す”video/x-ms-wmv”のように、”video/”で始まるコンテンツを動画と識別して、バックアップの対象とする。また、MIME-TYPEの値が”video/”で始まるコンテンツだけでなく、他の値であっても、動画を示すものである場合は、該当するコンテンツをバックアップの対象にする。
【００３３】
次に、バックアップ対象のコンテンツを静止画のみと設定されている場合は、MIME-TYPEの値が“image/”で始まるコンテンツを静止画としてバックアップ対象のコンテンツとする。この他にも、静止画を表すMIME-TYPEの値が設定されているコンテンツも、バックアップの対象とする。バックアップ対象のコンテンツが動画と静止画の両方が設定されている場合は、前述の動画、静止画の各種類に当てはまるものをMIME-TYPEの値から識別してバックアップの対象に設定する。
【００３４】
最後に、著作権上複製してもよいもの全てがバックアップ対象とされている場合は、MIME-TYPEに例えばDTCPのような、複製を禁ずる著作権情報が含まれていない動画や静止画などの全てのコンテンツをバックアップの対象とする。
【００３５】
バックアップ対象のコンテンツ設定方法は、動画、静止画、音楽といったコンテンツの種類の指定に限らず、ユーザが、直接MIME-TYPEの値やファイルの拡張子などを指定することで、各コンテンツがバックアップ対象か否かを設定してもよい。
【００３６】
バックアップ保存先の装置情報には、例えば、データセンタや外付けHDD装置など、該コンテンツのバックアップデータがどの装置、または、記録媒体に保存されるよう設定されているのかが表示される。
【００３７】
バックアップタイミングの設定状況には、装置１がどのタイミングでバックアップを実行するかの設定状況が表示される。例えば、毎週日曜日AM２時に実行する、または、毎日PM６時に行うかなどという情報である。ただし、設定されたタイミングに頻繁にコンテンツコンテンツサーバが電源OFF、もしくは、ネットワークに接続されていないためバックアップが実行できないという場合は、設定画面に注意を表示してもよい。また、バックアップ対象のコンテンツサーバがネットワークに接続されたタイミングであるとか、コンテンツを新たに追加したなどのコンテンツリストに更新が起きた場合に自動的にバックアップを実行してもよい。例えば、DLNAのコンテンツサーバ機能を持った装置がバックアップ対象のコンテンツサーバである場合、ネットワークに接続されたことやコンテンツリストに更新が起きたことを、他の装置に通知する機能がある。このような機能を用いて、バックアップタイミングを設定してもよい。
【００３８】
図５は、前述のバックアップ設定画面でユーザがバックアップの設定を行った後、コンテンツサーバのコンテンツをバックアップ制御装置がストレージサーバへバックアップする処理例を示すフローチャートである。
【００３９】
装置１は、まずバックアップ対象のコンテンツサーバから、コンテンツリストを取得する(ST101)。そして、コンテンツリストに含まれる各コンテンツのMIME-TYPEから個々のコンテンツがどの種類に分類されるかを特定する(ST102)。
【００４０】
続いて、種類が特定されたコンテンツが、ユーザによって設定されたバックアップ対象のものであるかどうかを識別する(ST103)。このとき、コンテンツがバックアップ対象のものと判断された場合(ST103のYes)、該当するコンテンツをバックアップ対象のコンテンツリストに追加する(ST104)。もし、コンテンツがバックアップ対象外であった場合(ST103のNo)、バックアップ対象外のコンテンツリストに追加する(ST105)。コンテンツがバックアップ対象の種類であるか否か識別する際は、該コンテンツが既にバックアップされているものか否かをコンテンツデータベース１３から確認し、初めてバックアップを行うコンテンツであれば、該コンテンツをバックアップ対象として識別し、既にバックアップが行われているコンテンツであれば、該コンテンツをバックアップ対象外のコンテンツに識別する(ST103)。
【００４１】
装置１は、取得したコンテンツサーバのコンテンツリスト全てに対し、バックアップ対象か否かの識別を行う(ST106のNo)。もし、全てのコンテンツが識別完了した場合(ST106のYes)は、バックアップを行うコンテンツのデータサイズを見積り、バックアップ先の装置（ストレージサーバ）の残記録容量に収まるかどうかを確認する(ST107)。バックアップ先の装置の容量がバックアップ予定のデータサイズを満たしている場合は(ST107のYes)、全対象コンテンツのバックアップを実行する(ST108)。もし、バックアップ先の装置容量が不足している場合は(ST107のNo)、他のバックアップ先を設定するか、一部コンテンツに関し、バックアップを行わないようにする(ST109)。
【００４２】
装置１では、１度バックアップを行ったコンテンツは、次回バックアップをしないようにするため、個々のバックアップ対象コンテンツに関し、バックアップが完了しているか否かをコンテンツデータベース１３に記録しておく(ST110)。バックアップ設定データベース１５に記録してもよい。
【００４３】
図６は、ST108でバックアップ制御装置（装置１）から実行指示されたバックアップの処理をストレージサーバ（装置３）で実行する処理の例を表すフローチャートである。
【００４４】
バックアップ保存先となるストレージサーバは、ストレージサーバにバックアップを実行するとき(ST201)、各コンテンツサーバからバックアップとして送信されるコンテンツに重複がないかを確認する(ST202)。ST103でバックアップ済みか否かを判断しているが、バックアップ制御装置が複数あった場合（例えば装置１と同等の機能を有する装置４があった場合）には、両方のバックアップ制御装置が同じコンテンツサーバに保存されているコンテンツのバックアップを実行すると、バックアップに重複が起きてしまい、装置１でバックアップ済みではなかったとしてもストレージサーバで重複する可能性があるためである。
【００４５】
バックアップとして保存するコンテンツの重複は、コンテンツ間でタイトル、データサイズ、更新日時などを比較して確認する。同じファイル名でありながら、内容が異なるコンテンツのバックアップを実行しようとした場合、コンテンツの違いが分からず、バックアップ先のコンテンツサーバで上書きされることで、元々バックアップとして保存していたコンテンツを消失してしまう可能性がある。このようなファイル名の競合を防ぐために、例えば各コンテンツに対し、バックアップ元となったコンテンツサーバの情報やデータサイズ、更新日時などの情報を用いて同じファイル名でも異なるコンテンツであることを識別し、別々のファイルとしてバックアップデータを保存する。重複コンテンツが存在した場合は(ST203のYes)、バックアップを要求しているバックアップ制御装置に通知する。通知を受けたバックアップ制御装置では、ストレージサーバ上のバックアップコンテンツを上書きするか(ST205のYes)、または、バックアップの実行を取り消すか(ST205のNo)、を判断する。この判断は例えば、バックアップ制御装置に予めユーザが設定した情報に従う。コンテンツに重複が無かった場合は(ST203のNo)、そのままバックアップをストレージサーバ上に保存する。各コンテンツに関し、バックアップを完了した、または、取り消したかという情報は、コンテンツデータベース１３に保存しておく(ST208)。ST208の結果を装置１に通知して、ST110を実行させてもよい。
【００４６】
なお、図６のST202は、ストレージサーバで重複の有無を判断した。この方法以外に、バックアップ制御装置間でバックアップの設定情報を共有しておき（例えばコンテンツデータベース１３やバックアップ設定データベース１５に）、各コンテンツサーバ、または、コンテンツの種類ごとに、担当のバックアップ制御装置の情報を共有しておくことで、バックアップに重複が発生しないようにしてもよい。ただし、元々同じコンテンツが複数のコンテンツサーバに存在する場合は、担当のバックアップ制御装置が異なる場合でも、それぞれの装置が同じコンテンツのバックアップを取ってしまうことになる。そこで、各コンテンツコンテンツサーバ間でコンテンツリストを共有し、重複が無いかを確認するようにしてもよい。もし、コンテンツに重複があった場合は、重複コンテンツのバックアップを行うか、どちらか一つだけバックアップ対象にするのかユーザが設定できるようにする。
【００４７】
図７は、例えば装置１がネットワークを介して装置２に保存されているコンテンツを再生しようとしたが、装置２が電源OFFや故障などの理由によりコンテンツを取得できなかった場合に、バックアップ装置３から該コンテンツを再生する処理を示したフローチャートである。
ユーザは、装置１に表示している各装置のコンテンツリストから視聴したいコンテンツの再生を指示する(ST301)。このとき、選択されたコンテンツは、装置２に保存されているため、装置１は装置２に対し該当コンテンツの再生を要求する。しかし、装置２は、例えば電源OFFや故障により該コンテンツを再生できない状態だったとする(ST302)。このような場合、装置1は、選択コンテンツと同じコンテンツがバックアップとして保存されている装置３に接続する(ST303)。そして、装置３から選択コンテンツを取得し再生する(ST304)。
【図面の簡単な説明】
【００４８】
【図１】システム構成例を示す。
【図２】バックアップ制御装置１の構成例を示す。
【図３】バックアップ設定画面例を示す。
【図４】バックアップ対象とMIME-TYPEの関係例を示す。
【図５】コンテンツサーバのコンテンツをバックアップ制御装置がストレージサーバにバックアップする処理例を示す。
【図６】バックアップするコンテンツの重複を判断してバックアップする処理例を示す。
【図７】コンテンツを再生する処理例を示す。
【符号の説明】
【００４９】
１：バックアップ制御装置、２：記録再生装置、３：データセンタ内の記憶装置
【図１】
2009163587.tif 000003
【図２】
2009163587.tif 000004
【図３】
2009163587.tif 000005
【図４】
2009163587.tif 000006
【図５】
2009163587.tif 000007
【図６】
2009163587.tif 000008
【図７】
2009163587.tif 000009